(57)【要約】【課題】  複数の消音構成を一体にまとめて電気掃除機の排風口に取付け、電気掃除機使用時に発生する騒音を大きく低減できる電気掃除機消音装置を提供することである。【解決手段】  電気掃除機の排風通路に取付けられ、電気掃除機の排気を通過させる密閉拡張室を少なくとも１つ備え、拡張室の両端にそれぞれ排風通路と接続される吸込口および排風口が設けられ、拡張室内には、吸込口と排風口との間を仕切る消音仕切板が設けられ、該消音仕切板に小さな穴が配置されることを特徴とする電気掃除機消音装置。【選択図】        図１
2005066309.tif 000002
【特許請求の範囲】
【請求項１】
電気掃除機消音装置において、電気掃除機の排風通路に取付けられ、掃除機の排気の通過を許す密閉拡張室１を少なくとも１つ備え、拡張室１の両端にそれぞれ排風通路と接続される吸込口２および排風口３が設けられ、拡張室１の気流方向に直交する断面積がそれぞれ吸込口２および排風口３の断面積よりも大きく形成されていることを特徴とする電気掃除機消音装置。
【請求項２】
前記拡張室１内には、吸込口２と排風口３との間を仕切る消音仕切板４が設けられ、該消音仕切板４には小さな穴５が配置されていることを特徴とする請求項１記載の電気掃除機消音装置。
【請求項３】
前記拡張室１が二つの半部を突き合わせてなるものであり、消音仕切板４が突き合わせの位置に固定されることを特徴とする請求項１または２記載の電気掃除機消音装置。
【請求項４】
拡張室１の二つのそれぞれ吸込口２および排風口３を含む内端面から消音仕切板４までの距離がそれぞれ１０ｍｍ以上１００ｍｍ以下となっていることを特徴とする請求項１または２記載の電気掃除機消音装置。
【請求項５】
前記拡張室１の気流方向に直交する断面積が排風口３の断面積の２倍以上であることを特徴とする請求項１記載の電気掃除機消音装置。
【請求項６】
前記拡張室１の内壁に吸音材６が貼り付けられることを特徴とする請求項１記載の電気掃除機消音装置。
【請求項７】
前記吸込口２および排風口３の周りに小さな貫通孔７が設けられることを特徴とする請求項１記載の電気掃除機消音装置。
【請求項８】
前記吸込口２および排風口３の気流方向と直交する断面積がそれぞれ５０００ｍｍ2以下であることを特徴とする請求項１記載の電気掃除機消音装置。
【発明の詳細な説明】
【技術分野】
【０００１】
本発明は電気掃除機用消音装置に関する。
【背景技術】
【０００２】
従来の電気掃除機の空気の吐き出し消音は、風路の湾曲性を増加させ、つまり迷路式な風路を採用することによって、音波が伝達する間にエネルギを損失させ、さらに風路の曲がる箇所に多孔式吸音材を設け、音のエネルギを吸収し、騒音低減の目的を達成するものである。このような構造の主な問題点は消音効果が比較的に低いことである。
【発明の開示】
【発明が解決しようとする課題】
【０００３】
本発明の目的は、複数の消音構成を一体にまとめて電気掃除機の排風口に取付け、電気掃除機使用時に発生する騒音を大きく低減できる電気掃除機消音装置を提供することにある。
【課題を解決するための手段】
【０００４】
本発明の技術案では、電気掃除機の排風通路に取付けられ、電気掃除機の排気を通過させる密閉拡張室を少なくとも１つ備え、拡張室の両端にそれぞれ排風通路と接続される吸込口および排風口が設けられ、拡張室の気流方向に直交する断面積が吸込口および排風口のそれぞれの断面積よりも大きいことを特徴とする電気掃除機消音装置。
【０００５】
本発明の次の技術案では、電気掃除機の排風通路に取付けられ、電気掃除機の排気を通過させる密閉拡張室を少なくとも１つ備え、拡張室の両端にそれぞれ排風通路と接続される吸込口および排風口が設けられ、拡張室の気流方向に直交する断面積が吸込口および排風口のそれぞれの断面積よりも大きく、前記拡張室内には、吸込口と排風口との間を仕切る消音仕切板が設けられ、該消音仕切板に亘って多数の小さな穴を配置し、前記拡張室が二つの半部を突き合わせてなるものであり、消音仕切板が突き合わせの位置に固定されることを特徴とする電気掃除機消音装置。
【０００６】
本発明のさらに詳細な技術案では、電気掃除機の排風通路に取付けられ、電気掃除機の排気を通過させる密閉拡張室を少なくとも１つ備え、拡張室の両端にそれぞれ排風通路と接続される吸込口および排風口が設けられ、拡張室の気流方向に直交する断面積が吸込口および排風口のそれぞれの断面積よりも大きく、前記拡張室内には、吸込口と排風口との間を仕切る消音仕切板が設けられ、該消音仕切板に亘って多数の小さな穴を配置され、前記拡張室が二つの半部を突き合わせてなるものであり、消音仕切板が突き合わせの位置に固定され、拡張室の二つのそれぞれの吸込口および排風口を含む内端面から消音仕切板までの距離がそれぞれ１０ｍｍ以上１００ｍｍ以下となっており、前記拡張室の気流方向に直交する断面積が排風口の断面積の２倍以上であり、拡張室の内壁に吸音材が貼り付けられ、前記吸込口および排風口の周りに小さな貫通孔が設けられ、前記吸込口および排風口の断面積がそれぞれ５０００ｍｍ2以下であることを特徴とする電気掃除機消音装置。
【発明の効果】
【０００７】
本発明の有効性
１．本発明は複数の消音構成を一体にまとめ、複数の消音構成により電気掃除機使用時に発生する騒音を低減し、消音効果が大きく向上することができる。
【０００８】
２．本発明は複数の装置を直列に接続して使用することができ、直列された消音装置の
消音効果がさらによくなる。
【０００９】
３．本発明の拡張室は単独で掃除機の排風通路に接続することができ、また拡張室内に消音仕切板を取付けてもよい。消音仕切板を取付けた拡張室の消音効果がより良好となる。
【発明を実施するための最良の形態】
【００１０】
以下本発明の実施例について、図１を参照しながら説明する。
【００１１】
図１に示すように、電気掃除機消音装置は、電気掃除機の排風通路に取付けられ、電気掃除機の排気の通過を許す密閉拡張室１を少なくとも１つ備える。拡張室１の両端にそれぞれ排風通路と接続される吸込口２および排風口３が設けられ、拡張室１の気流方向に直交する断面積がそれぞれ吸込口２および排風口３の断面積よりも大きく形成されている。前記拡張室１内には、吸込口２と排風口３との間を仕切る消音仕切板４が設けられ、該消音仕切板４は通常プラスチック製または金属製であり、上に多数の小さな穴５が配置されている。前記拡張室１が二つの半部を突き合わせてなるものであり、消音仕切板が突き合わせの位置に固定される。拡張室の二つのそれぞれ吸込口２および排風口３を含む内端面から消音仕切板４までの距離がそれぞれ１０ｍｍ以上１００ｍｍ以下となっており、拡張室１の気流方向に直交する断面積が排風口３の断面積の２倍以上である。拡張室１の内壁に吸音材６が貼り付けられ、前記吸込口２および排風口３の周りに小さな貫通孔７が設けられる。前記吸込口２および排風口３の断面積がそれぞれ５０００ｍｍ2以下である。
【００１２】
電気掃除機使用時に排出される風がまず吸込口２を経て拡張室１の前半部に入り、断面積の瞬間的な拡大によって、騒音低減の効果が実現でき、同時に拡張室１の周壁の吸音材６も一部の音のエネルギを吸収し、またある程度の消音効果をもたらす。そして風と音波が小さな穴５が配置された消音仕切板４を通り、音のエネルギがさらに損失し、消音効果が実現され、それから、拡張室１の後半部に入り、騒音がさらに低減する。もし、空間的な条件さえ許されれば、いくつかの拡張室１を直列することができ、消音効果がさらに良好となる。本発明の拡張室１は単独で掃除機の排風通路に接続することができ、また拡張室１内に消音仕切板４を取付けてもよい。消音仕切板４を取付けた拡張室１の消音効果がさらに良好となる。
【図面の簡単な説明】
【００１３】
【図１】本発明の実施例の電気掃除機消音装置の断面構造の概略図である。
【符号の説明】
【００１４】
１  拡張室、２  風の吸込口、３  排風口、４  消音仕切板、５  小さな穴、６  吸音材、７  小さな貫通孔。
【図１】
2005066309.tif 000003